(57)【特許請求の範囲】
【請求項１】
遊技盤に装着される本体ベースに開口を設けて大入賞口の開口部とし、この大入賞口内の所定箇所に特定領域を設け、前記開口部の下縁に開閉扉を配置し、特別遊技状態となったときに前記開閉扉を開状態として落下してくる遊技球を当該開閉扉で受けて前記大入賞口に導くようにした遊技機の入賞装置において、
前記開閉扉の前記遊技球を受ける面に、前記特定領域に向けて前記遊技球を誘導する開閉扉側誘導リブを設け、当該開閉扉側誘導リブを、前記特定領域に向かうに従い下り傾斜が付くように形成し、且つ、前記特定領域から最も離れた位置の高さが高く、この位置から前記特定領域側に向かうに従い徐々に高さを低くしているとともに、
前記開口部の上縁に、前記開閉扉上で跳ね返って前記開閉扉用誘導リブを乗り越えようとする前記遊技球を阻止し、その遊技球を前記特定領域に向けて誘導する開口側誘導リブを設け、当該開口側誘導リブの前記遊技球が当接する当接部を、前記特定領域から最も離れた位置が前方に突出しており、この位置から前記特定領域側に向かうに従い徐々に奥側に位置するように傾斜形状としたことを特徴とする遊技機の入賞装置。
【発明の詳細な説明】
【０００１】
【発明の属する技術分野】
この発明は、遊技機の入賞装置に関する。
【０００２】
【従来の技術】
パチンコ機の機種の中で第１種特別電動役物を備える機種は、始動入賞口に遊技球が入ると可変図柄表示装置が作動し、図柄の組み合わせが予め定めた図柄となったときに大当たりとなり、一定時間の間、開閉扉を開けて大入賞口を開放するようになっている。
【０００３】
大入賞口内には特定領域としてのＶゾーンが設けられており、遊技球がＶゾーンに入ると、大入賞口を開放する時間が長くなるように、大当たりが所定回数だけ繰り返されるようになっている。
大入賞口内のＶゾーンは、大入賞口の中央に設けられていたり、左隅や右隅に設けられている。ここで、例えば、大入賞口の左隅にＶゾーンが設けられている場合、大入賞口の左側に遊技球が落下してくると開閉扉で遊技球を受けてＶゾーンに導くので、大当たりが継続し易くなる。しかし、遊技球が遊技釘に接触して大入賞口の右側に落下していくと、開閉扉が遊技球をＶゾーンに導かず、大当たりが継続しにくくなって遊技者に不利となるおそれがある。
【０００４】
そこで、例えば、特開平７−５９９１８号公報に記載の遊技機の入賞装置のように、大入賞口のＶゾーンも設けた側に遊技球が落下しなくても、遊技球をＶゾーン側に導きやすくしている装置が知られている。
特開平７−５９９１８号公報に記載の装置は、この公報の図２で示すように、開閉扉の開口したときに上方を向く面に、大入賞口の左隅に設けたＶゾーンに向けて下り傾斜を付けた誘導リブを設けている。この誘導リブを設けると、例えば、大入賞口の中央や右寄りに遊技球が落下して開閉扉が受けると、遊技球が誘導リブに沿って転動してＶゾーン側に導かれていく。
【０００５】
【発明が解決しようとする課題】
しかし、上述した開閉扉に設けた誘導リブは、開閉扉に設定した開き角度や誘導リブの高さが低いために、落下してきた遊技球が開閉扉で跳ね返り、誘導リブを乗り越えてしまってＶゾーンに導くことができない場合がある。このように遊技球が誘導リブに導かれないときが頻繁になると、大当たりが継続しにくくなって遊技者に不利となってしまう。そこで、開閉扉での遊技球の乗り越えを防止するために誘導リブの高さを高く設定することが考えられるが、そのようにすると、開閉扉が閉じる直前でも高くした誘導リブ付近に遊技球が残ってしまい、大入賞口の開口部の周縁と開閉扉との間に遊技球が挟まって開閉扉が閉まらなくなるという不都合が生じるおそれがある。
【０００６】
本発明は上記事情に鑑みてなされたものであり、大入賞口内に設けた特定領域としてのＶゾーンへの遊技球の誘導をスムーズに行うことができる遊技機の入賞装置を提供することを目的としている。
【０００７】
【課題を解決するための手段】
上記課題を解決するために、請求項１記載の遊技機の入賞装置は、遊技盤に装着される本体ベースに開口を設けて大入賞口の開口部とし、この大入賞口内の所定箇所に特定領域を設け、前記開口部の下縁に開閉扉を配置し、特別遊技状態となったときに前記開閉扉を開状態として落下してくる遊技球を当該開閉扉で受けて前記大入賞口に導くようにした遊技機の入賞装置において、前記開閉扉の前記遊技球を受ける面に、前記特定領域に向けて前記遊技球を誘導する開閉扉側誘導リブを設け、当該開閉扉側誘導リブを、前記特定領域に向かうに従い下り傾斜が付くように形成し、且つ、前記特定領域から最も離れた位置の高さが高く、この位置から前記特定領域側に向かうに従い徐々に高さを低くしているとともに、前記開口部の上縁に、前記開閉扉上で跳ね返って前記開閉扉用誘導リブを乗り越えようとする前記遊技球を阻止し、その遊技球を前記特定領域に向けて誘導する開口側誘導リブを設け、当該開口側誘導リブの前記遊技球が当接する当接部を、前記特定領域から最も離れた位置が前方に突出しており、この位置から前記特定領域側に向かうに従い徐々に奥側に位置するように傾斜形状とした。
【００１１】
【発明の実施の形態】
以下、本発明の遊技機として例えばパチンコ機の入賞装置に係る実施形態を図面を参照して説明する。
図１は、本実施形態に係る遊技盤２の示す正面図を示すものであり、この遊技盤２の表面にはガイドレール４で囲まれる遊技部６が形成されており、この遊技部６の略中央に、ワープゾーン８に囲まれた可変図柄表示装置１０が設けられている。この可変図柄表示装置１０の下方には、一般入賞口１２ａ、１２ｂ、始動入賞口１３、変動入賞装置１４が設けられている。また、遊技部６の各所に、風車１６、ランプ風車１８、表示灯２０が配設されているとともに、遊技部６の最下部にアウト口２２が設けられている。そして、図１では示していないが、遊技部６の全域に遊技釘が設けられている。
【００１２】
図２から図４は、ワープゾーン８の内部構造を示すものである。このワープゾーン８は、遊技球Ｂが通過することによって球の速度を遅くしながら可変図柄表示装置１０の下部に設けたスロープ（遊技球排出口）１０ａに集合させ、そのスロープ１０ａから落下する遊技球の始動入賞口１３への入賞率を高めるものであり、可変図柄表示装置１０の側部で開口しているワープ入口８ａと、ワープ入口８ａに連通する遊技球の通路として形成され、ワープ入口８ａに入った遊技球をスロープ１０ａまで導くワープ通路８ｂと、ワープ通路８ｂの途中に設けた減速機構９とを備えている。減速機構９は、キャラクタ９ａと、このキャラクタ９ａの上部に固定されている可動片９ｂと、キャラクタ９ａ及び可動片９ｂの中間位置を回動自在に支持している回動ピン９ｃとを備えており、遊技球Ｂがワープ通路８ｂを通過しないときには、図２に示すように、可動片９ｂがワープ通路８ｂの途中を塞ぎながらキャラクタ９ａが遊技者から隠れた位置に配置されており、遊技球Ｂがワープ通路８ｂを通過すると、図４に示すように、通過する遊技球に可動片９ｂが押されてキャラクタ９ａが可変図柄表示装置１０側に出る仕組みになっている。このような構造としたワープゾーン８は、遊技球Ｂが減速機構９の可動片９ｂに接触することで速度が遅くなり、スロープ１０ａに安定して集合し、それから確実に始動入賞口１３側へ排出させることができるとともに、遊技球Ｂがワープゾーン８内に入った有利な状態を、キャラクタ９ａが可変図柄表示装置１０側に出ることで遊技者に簡単に認知させることができる。
【００１３】
前述した変動入賞装置１４は、図５に示すように、遊技盤２の表側に装着される本体ベース２４と、本体ベース２４に設けた開口部２６を開閉する開閉扉３０と、本体ベース２４の表側に装着した一般入賞口２８ａ、２８ｂと、本体ベース２４の裏側に順次結合されるコネクタ基板３２、裏カバー３４、開閉ソレノイド３５ａ及び上下移動可能な突出部３５ｂを固定した基板３５、コネクタ基板３６、突出部３５ｂの駆動源であるソレノイド３７、中継基板台３８、中継基板４０等の部品により構成されている。
【００１４】
前記本体ベース２４は、図６及び図７に示すように、横長に開口する矩形状の開口部２６が形成されており、この開口部２６の左右位置に一般入賞口２８ａ、２８ｂから入った遊技球が通過する穴２７ａ、２７ｂが設けられている。そして、この本体ベース２４には、開口部２６の上縁２６ａの中央部に第１の誘導リブ２９が設けられている。
【００１５】
この第１の誘導リブ２９は、本体ベース２４の上部裏側から開口部２６の上縁２６ａより低い位置まで下方に延びている基部２９ａと、この基部２９ａの下端から開口部２６の上縁２６ａ側に向けて突出している誘導片２９ｂとで構成されており、誘導片２９ｂは、図７に示すように、右側部分の正面側への突出量が増大しており、左側部分に向かうに従い正面側への突出量が徐々に減少した形状となっている。
【００１６】
また、開閉扉３０は、図８から図１０に示すように、矩形状の閉塞板３０ａと、この閉塞板３０ａの長手方向両側から立ち上がる一対の支持片３０ｂと、これら支持片３０ｂに形成した支持穴３０ｄと、一方の支持片３０ｂから突出している軸３０ｅと、閉塞板３０ａの内側の中央部に設けた第２の誘導リブ３１とを備えた部材である。そして、本体ベース２４の開口部２６の下縁の左右両側に支持軸（図示せず）を設けており、この支持軸を閉塞部材３０の前記支持穴３０ｄに挿入し、それら支持穴３０ｄの軸を結ぶ線を回転中心として回動自在となるように、開閉扉３０が本体ベース２４に装着されている。そして、開閉扉３０の軸３０ｅに、開閉ソレノイド３５ａのプランジャ部に取り付けた係合ロッド３５ａ1 が係合し、開閉ソレノイド３５ａにより係合ロッド３５ａ1 が上下移動することで開閉扉３０が開口部２６を自動的に開閉するようになっている。
【００１７】
ここで、開閉扉３０を本体ベース２４に装着すると、符号３０ｆで示す長手方向縁部が上部位置となり、符号３０ｇで示す長手方向縁部が下部位置となるが、前記第２の誘導リブ３１は、図８及び図１０に示すように、右側の端部３１ａを上部位置とし、左側の端部３１ｂに向かうに従い下り傾斜を付けて設けられているとともに、右側の端部３１ａの上方突出量が増大し、左側の端部３１ｂに向かうに従い上方突出量が徐々に減少している形状としている。
【００１８】
次に、図１１及び図１２は変動入賞装置１４を正面から示し、図１３及び図１４は変動入賞装置１４の内部構造を示すものであり、開口部３６の内部に大入賞口４２が形成されている。
この大入賞口４２の底面は、裏カバー３４に設けた球受け樋４４により形成されており、この球受け樋４４は、図１０に示すように、大入賞口４２の左側に設けたＶゾーン受け部４４ａと、このＶゾーン受け部４４ａより低い位置で右側に向かうに従い徐々に下り傾斜をつけた傾斜受け部４４ｂとを備えている。
【００１９】
そして、ソレノイド３７の駆動により下降して前述した基板３５から突出して大入賞口４２に延びている突出部３５ｂが、Ｖゾーン受け部４４ａ及び傾斜受け部４４ｂを仕切っているとともに、Ｖゾーン受け部４４ａを臨む大入賞口４２の左隅に特定領域としてのＶゾーン４６が設けられ、傾斜受け部４４ｂの最も低い位置を臨む位置に一般入賞領域４８が設けられている。
【００２０】
次に、上記した構成のパチンコ機のゲームを簡単に説明する。遊技者が発射した遊技球が、遊技部６の略中央部に設けた始動入賞口１３に入賞すると、可変図柄表示装置１０が図柄の変動表示を開始する。図柄の変動表示を開始後、所定時間が経過して停止した図柄の組み合わせが予め定めた図柄となったときに、大当たりとなって特別遊技状態に移行する。
【００２１】
特別遊技状態になると、開閉扉３０が開き、この開閉扉３０により落下してきた遊技球を受け止めて大入賞口４２に遊技球が極めて入賞し易く、遊技者に有利な状態とする。この状態は、一定時間経過するまで開閉扉３０を開放し、或いは、大入賞口４２に所定の個数の遊技球が入賞するまで開閉扉３０を開放する。ここで、大入賞口４２に入った遊技球が、左隅に位置しているＶゾーン４６に入賞すると、所定回数だけ特別遊技状態が繰り返されるようになっている。
【００２２】
図１３及び図１４を参照して本実施形態の作用効果を説明する。なお、本実施形態の作用効果を明確にするため、図１５から図１７に従来の装置（特開平７−５９９１８号公報で記載した装置）と類似した構造を示し、これらの図も比較参照して説明する。
図１３の破線の円で示す位置のように、大入賞口４２の左寄りに遊技球Ｂ1 が落下して開閉扉３０が受けると、開閉扉３０の傾斜面に沿って遊技球Ｂ1 がＶゾーン４６に向けて転動していく。また、図１３の一点鎖線の円で示す位置のように、大入賞口４２の中央に遊技球Ｂ2 が落下すると、遊技球Ｂ2 は開閉扉３０に設けた第２の誘導リブ３１の側壁に沿って大入賞口４２の左隅側に転動していき、Ｖゾーン４６に導かれていく。
【００２３】
また、図１３及び図１４の実線の円で示す遊技球Ｂ3 のように、落下してきた遊技球Ｂ3 が開閉扉３０上で跳ね返り、第２の誘導リブ３１を乗り越えようとするが、本体ベース２４に設けた第１の誘導リブ２９の誘導片２９ｂに遊技球Ｂ3 が当たって乗り越えが防止される。そして、誘導片２９ｂは、右側（Ｖゾーン４６から離れた位置）が正面に向けて突出し、左側（Ｖゾーン４６に近づく位置）が奥側に位置するように左奥へ傾斜する形状なっていることから、第２の誘導リブ３１を乗り越えようとした遊技球Ｂ3 は、誘導片２９ｂに沿って転動していくことにより大入賞口４２の左隅側に移動していき、Ｖゾーン４６に導かれていく。
【００２４】
また、開閉扉３０が閉じる直前に第２の誘導リブ３１付近に遊技球が残っていても、その遊技球は、第２の誘導リブ３１が右側（Ｖゾーン４６から離れた位置）の上方突出量が増大し、左側（Ｖゾーン４６に近づく位置）の上方突出量が減少する下り傾斜を付けた形状であり、第１の誘導リブ２９の誘導片２９ｂも左奥へ傾斜する形状となっていて自然にＶゾーン４６に導かれていくので、開閉扉３０が閉じる際に開口部３６の周縁と開閉扉３０との間に遊技球が挟まって正常に閉じなくなってしまうことがない。
【００２５】
これに対して、開閉扉３０のみに誘導リブ５０を設けた従来の装置は、図１５の破線で示す位置のように、大入賞口４２の左寄りに遊技球Ｂ1 が落下して開閉扉３０が受けると、開閉扉３０の傾斜面に沿って遊技球Ｂ1 がＶゾーン４６に向けて転動し、この一点鎖線の円で示す位置のように、大入賞口４２の中央に遊技球Ｂ2 が落下すると、遊技球Ｂ2 は誘導リブ５０の側壁に沿って大入賞口４２の左隅側に転動していき、Ｖゾーン４６に導かれていく。
【００２６】
しかし、図１５及び図１６の実線で示す遊技球Ｂ3 のように、落下してきた遊技球Ｂ3 が開閉扉３０上で跳ね返り、誘導リブ５０を乗り越えるおそれがある。また、図１７に示すように、遊技球の乗り越えを防止するために背の高い誘導リブ５２を開閉扉３０に設けると、今度は、開閉扉３０が閉じる直前に誘導リブ５２付近に遊技球が残ってしまい、開口部２６の周縁と開閉扉３０との間に遊技球Ｂ3 が挟まって開閉扉３０が閉まらなくなる可能性がある。
【００２７】
このように、本実施形態では、開閉扉３０に第２の誘導リブ３１を設け、本体ベース２４の開口部２６の上縁２６ａ近くに第１の誘導リブ２９が設けたので、落下してきた遊技球の第２の誘導リブ３１の乗り越え等を防止して大入賞口４２のＶゾーン４６に向けて遊技球の誘導をスムーズに行うことができる。
そして、第２の誘導リブ３１が右側（Ｖゾーン４６から離れた位置）の上方突出量が増大し、左側（Ｖゾーン４６に近づく位置）の上方突出量が減少する下り傾斜を付けた形状であり、第１の誘導リブ２９の誘導片２９ｂも左奥へ傾斜する形状となっており、開閉扉３０が閉じる直前に第２の誘導リブ３１付近に遊技球が残っていても、第１及び第２の誘導リブ２９、３１により自然にＶゾーン４６を導いていくので、開口部３６の周縁と開閉扉３０との間に遊技球が挟まることがない。したがって、大当たりが継続しやすい状態となって、遊技者に有利な装置を提供することができる。
【００２８】
次に、図１８及び図１９に示すものは、図６及び図７に示した本体ベース２４と異なる構造の第２実施形態を示すものである。なお、図６及び図７で示した構成と同一構成部分には同一符号を付してその説明を省略する。
本実施形態の本体ベース２４は、開口部２６の上縁２６ａの中央部に第１の誘導リブ５４が設けられており、この第１の誘導リブ５４は、本体ベース２４の上部裏側から開口部２６の上縁２６ａより低い位置まで下方に延びている基部５４ａと、この基部５４ａの下端から開口部２６の上縁２６ａ側に向けて突出している誘導片５４ｂとで構成されており、誘導片５４ｂは、図１９に示すように、右側部分の正面側への突出量が増大しており、左側部分に向かうに従い正面側への突出量が徐々に減少した形状となっている。
【００２９】
そして、本実施形態の誘導片５４ｂの面積は、図６及び図７で示した第１の誘導リブ２９の誘導片２９ｂより大きな面積となるように形成されている。より具体的には、開閉扉３０上を誘導する遊技球が必ず当接する位置に設けられている。
上記構造の本体ベース２４を使用すると、開閉扉３０上に第２の誘導リブ３１を設けなくても、第１の誘導リブ５４の誘導片５４ｂに遊技球Ｂ3 が当たって乗り越えが防止される。そして、誘導片５４ｂは面積が大きく、しかも、右側（Ｖゾーン４６から離れた位置）が正面に向けて突出し、左側（Ｖゾーン４６に近づく位置）が奥側に位置するように左奥へ傾斜する形状なっていることから、遊技球は、誘導片５４ｂとの接触頻度が増大させて大入賞口４２の左隅側のＶゾーン４６に導かれていくので、遊技球を安定してスムーズに導くことが可能となる。
【００３０】
また、開閉扉３０が閉じる直前に誘導片５４ｂ付近に遊技球が残っている場合も、その遊技球は、面積を大きくして左奥へ傾斜している第１の誘導リブ５４の誘導片５４ｂに確実に接触してＶゾーン４６に導かれていくので、さらに確実に開口部３６の周縁と開閉扉３０との間に遊技球が挟まることが防止される。このように、本実施形態では、第１の誘導リブ５４の誘導片５４ｂの面積を大きくしたことで、さらに安定して遊技球をＶゾーン４６側に導くことができる。
【００３１】
次に、図２０及び図２１に示すものは、前述した図６及び図７の本体ベース２４と、図１８及び図１９の本体ベース２４と異なる構造の第３実施形態を示すものである。なお、本実施形態の本体ベース２４は、図示しないが、大入賞口４２の中央位置にＶゾーンを設け、開閉扉３０に、大入賞口４２の中央位置に設けたＶゾーンに向けて下り傾斜となるような一対の第２の誘導リブを設けた場合に使用する。
【００３２】
本実施形態の本体ベース２４は、開口部２６の上縁２６ａの左側及び右側に一対の第１の誘導リブ６０、６２が設けられている。一方の第１の誘導リブ６０は、本体ベース２４の左側の上部裏側から開口部２６の上縁２６ａより低い位置まで下方に延びている基部６０ａと、この基部６０ａの下端から開口部２６の上縁２６ａ側に向けて突出している誘導片６０ｂとで構成されており、誘導片６０ｂは、図２１に示すように、左側部分の正面側への突出量が増大しており、右側部分に向かうに従い正面側への突出量が徐々に減少した形状となっている。また、他方の第１の誘導リブ６２は、本体ベース２４の左側の上部裏側から開口部２６の上縁２６ａより低い位置まで下方に延びている基部６２ａと、この基部６２ａの下端から開口部２６の上縁２６ａ側に向けて突出している誘導片６２ｂとで構成されており、誘導片６２ｂは、図２１に示すように、右側部分の正面側への突出量が増大しており、左側部分に向かうに従い正面側への突出量が徐々に減少した形状となっている。
【００３３】
上記構造の本体ベース２４を使用すると、落下してきた遊技球が開閉扉３０上で跳ね返り、第１の誘導リブを乗り越えようとするが、第１の誘導リブ６０、６２の誘導片６０ｂ、６２ｂに遊技球が当たって乗り越えが防止される。そして、第１の誘導リブ６０、６２の誘導片６０ｂ、６２ｂは、共に大入賞口４２の中央位置に設けたＶゾーンにから離れた位置が正面に向けて突出し、Ｖゾーンに近づく位置が奥側に位置するように傾斜を付けた形状なっていることから、第２の誘導リブを乗り越えようとした遊技球は、誘導片６０ｂ、６２ｂに接触して大入賞口４２のＶゾーン４６に導かれていき、遊技球を安定してスムーズに導くことが可能となる。
【００３４】
また、開閉扉３０が閉じる直前に第２の誘導リブ付近に遊技球が残っている場合も、その遊技球は、Ｖゾーンに向けて傾斜している第１の誘導リブ６０、６２の誘導片６０ｂ、６２ｂによりＶゾーンに導かれていくので、開閉扉３０との間に遊技球が挟まることが防止される。
さらに、図２２に示すものは、図５で示した変動入賞装置１４の構成部品の取り付け構造に対して異なった取り付け構造を示すものである。本実施形態では、最も外側に位置している中継基板４０の表裏を逆転して装着している。
【００３５】
すなわち、図５では中継基板４０のパターン面４０ａを中継基板台３８側に向けて装着していたが、本実施形態では、パターン面４０ａの裏側であるコネクタ実装面４０ａを中継基板台３８側に向けて中継基板４０を装着している。このような取り付け構造にしたことから、コネクタ実装面４０ａが外部に露出していないので、中継基板４０のコネクタを外したり、不正な部品を取り付けるといった不正改造を防止することができる。
【００３６】
さらにまた、図２３に示すものは、変動入賞装置１４の取り付け構造の別の実施形態を示すものである。
本実施形態は、中継基板台３８を最も外側に配置し、中継基板４０が外部に露出しないように構成している。このような取り付け構造とすると、コネクタ基板３６、中継基板４０が中継基板台３８内に隠されるので、さらに不正防止を強化することができる。
【００３７】
【発明の効果】
以上説明したように、請求項１記載の遊技機の入賞装置によると、開閉扉の前記遊技球を受ける面に設けた開閉扉側誘導リブを、特定領域に向かうに従い下り傾斜が付くように形成し、且つ、前記特定領域から最も離れた位置の高さが高く、この位置から前記特定領域側に向かうに従い徐々に高さを低くしたことから、若し、開閉扉が閉じる直前に遊技球が残っていても、その遊技球は、開閉扉側誘導リブの前記特定領域側に向かうに従い徐々に高さを低くした形状によって特定領域側に移動しやすくなるので、開口部の周縁と開閉扉との間に遊技球がほとんど挟まらない。
また、開口部の上縁に設けた開口側誘導リブの前記遊技球が当接する当接部を、特定領域から最も離れた位置が前方に突出しており、この位置から前記特定領域側に向かうに従い徐々に奥側に位置するように傾斜形状としたことから、落下してきた遊技球の開閉扉側誘導リブの乗り越えを開口側誘導リブが防止し、大入賞口の特定領域に向けて遊技球をスムーズに誘導することができる。
【図面の簡単な説明】
【図１】本発明に係る遊技盤を正面から示した図である。
【図２】本発明に係るワープゾーンを示す正面図である。
【図３】図２のIII −III 線矢視図である。
【図４】ワープゾーンの減速機構が作動している状態を示す図である。
【図５】本発明に係る変動入賞装置を構成している部材を示す分解斜視図である。
【図６】本発明に係る第１実施形態の本体ベースの構造を示す正面図である。
【図７】第１実施形態の本体ベースの構造を示す斜視図である。
【図８】本発明に係る開閉扉を示す平面図である。
【図９】開閉扉を示す正面図である。
【図１０】開閉扉を示す斜視図である。
【図１１】開閉扉が閉じている変動入賞装置を示す正面図である。
【図１２】開閉扉が開いている変動入賞装置を示す正面図である。
【図１３】図１２のＣ−Ｃ線矢視図である。
【図１４】図１２のＤ−Ｄ線矢視図である。
【図１５】従来の入賞装置を示す水平断面図である。
【図１６】従来の入賞装置を示す縦断面図である。
【図１７】遊技球が挟まっている従来の入賞装置を示す縦断面図である。
【図１８】第２実施形態の本体ベースの構造を示す正面図である。
【図１９】第２実施形態の本体ベースの構造を示す斜視図である。
【図２０】第３実施形態の本体ベースの構造を示す正面図である。
【図２１】第３実施形態の本体ベースの構造を示す斜視図である。
【図２２】変動入賞装置を構成している部材の装着方法の他の実施形態を示す図である。
【図２３】変動入賞装置を構成している部材の装着方法のさらに他の実施形態を示す図である。
【符号の説明】
２    遊技盤
１０  可変図柄表示装置
１４  変動入賞装置（入賞装置）
２４  本体ベース
２６  開口部
４２  大入賞口
４６  Ｖゾーン（特定領域）
２９、５４、６０、６２  第１の誘導リブ（開口側誘導リブ）
２９ａ、５４ａ、６０ａ、６２ａ  基部
２９ｂ、５４ｂ、６０ｂ、６２ｂ  誘導片（当接部）
３０  開閉扉
３１  第２の誘導リブ（開閉扉側誘導リブ）
３１ａ  Ｖゾーンから離れた位置
３１ｂ  Ｖゾーンに近い位置
Ｂ、Ｂ1 、Ｂ2 、Ｂ3     遊技球
【図１】
0004334713.tif 000002
【図２】
0004334713.tif 000003
【図３】
0004334713.tif 000004
【図４】
0004334713.tif 000005
【図５】
0004334713.tif 000006
【図６】
0004334713.tif 000007
【図７】
0004334713.tif 000008
【図８】
0004334713.tif 000009
【図９】
0004334713.tif 000010
【図１０】
0004334713.tif 000011
【図１１】
0004334713.tif 000012
【図１２】
0004334713.tif 000013
【図１３】
0004334713.tif 000014
【図１４】
0004334713.tif 000015
【図１５】
0004334713.tif 000016
【図１６】
0004334713.tif 000017
【図１７】
0004334713.tif 000018
【図１８】
0004334713.tif 000019
【図１９】
0004334713.tif 000020
【図２０】
0004334713.tif 000021
【図２１】
0004334713.tif 000022
【図２２】
0004334713.tif 000023
【図２３】
0004334713.tif 000024